【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
受像媒体搬送モジュールにおいて、
第１の受像媒体基材ソースと、
第２の受像媒体基材ソースと、
前記第１の受像媒体ソースから共通出力部へと受像媒体基材シートを搬送する第１の搬送路と、
前記第２の受像媒体ソースから前記共通出力部へと受像媒体基材シートを搬送する第２の搬送路と、
を含み、
プロセス方向において前記共通出力部の上流の前記第１の搬送路の出口部と前記プロセス方向において前記共通出力部の上流の前記第２の搬送路の出口部とが互いに一致し、
前記第１の搬送路と前記第２の搬送路のうちの少なくとも一方が、前記第１の搬送路と前記第２の搬送路のそれぞれの前記出口部を互いに一致して整列させるように前記共通出力部の上流に前記プロセス方向に対して４５°に配置された、外面を有する固定ターンバーを含み、
さらに、前記受像媒体搬送モジュールは、
少なくとも１つのガイド装置が、前記固定ターンバーの前記外面から離れてその周囲を延び、前記固定ターンバーの前記外面の周囲に巻き掛かる前記受像媒体基材シートをガイドするように構成され、前記少なくとも１つのガイド装置が、前記固定ターンバーの周囲に経路に沿って配置され、前記固定ターンバーの前記外面の周囲に前記受像媒体基材シートを提供し、前記固定ターンバーの前記外面の周囲に巻き掛かる前記受像媒体基材シートが、ある長さを有する分離した別個の基材シートであり、前記第１の搬送路と前記第２の搬送路のうちの前記固定ターンバーを含む前記少なくとも一方に沿う、ある長さを有する前記少なくとも１つのガイド装置が、前記受像媒体基材シートの前記長さより長い、
受像媒体搬送モジュール。
【請求項２】
前記受像媒体基材シートが第１の方向に進む前記受像媒体基材シートの前縁と共に前記固定ターンバーに接近し、前記受像媒体基材シートが前記第１の方向に対して直交する第２の方向に進む同じ前記前縁と共に前記ターンバーを出るように前記ターンバーの周囲に巻き掛かる、請求項１に記載の受像媒体搬送モジュール。
【請求項３】
前記少なくとも１つのガイド装置が、第１の方向に進む前記受像媒体基材シートの前縁と共に前記受像媒体基材シートを前記固定ターンバーに向かってガイドし、且つ前記第１の方向に対して直交する第２の方向に進む前記前縁と共に前記受像媒体基材シートが前記固定ターンバーから離れてガイドを出るように前記固定ターンバーと協働する、請求項１に記載の受像媒体搬送モジュール。
【請求項４】
前記少なくとも１つのガイド装置が、固定されたガイド装置である、請求項１に記載の受像媒体搬送モジュール。
【請求項５】
前記少なくとも１つのガイド装置が、ベルトガイド装置である、請求項１に記載の受像媒体搬送モジュール。
【請求項６】
前記ベルトガイド装置が、前記固定ターンバーの周囲に巻き掛かる前記受像媒体基材シートを挟持するように構成される一対の協働コンベアベルトであり、前記一対の協働コンベアベルトのうちの一方が前記固定ターンバーの周囲に経路に沿って配置され、前記受像媒体基材シートを前記一方の協働コンベアベルトと前記固定ターンバーとの間に支持するように構成される、請求項５に記載の受像媒体搬送モジュール。
【請求項７】
前記第１の受像媒体基材ソースが、前記第１の搬送路の前記出口部と共に直線配置されており、前記第１の搬送路を前記第１の受像媒体基材ソースから前記共通出力部へのインライン搬送路とする、請求項１に記載の受像媒体搬送モジュール。
【請求項８】
前記第２の受像媒体基材ソースが、前記第２の搬送路の前記出口部からずれている、請求項７に記載の受像媒体搬送モジュール。
【請求項９】
前記第２の受像媒体基材ソースが、前記第２の搬送路の第１の部分が前記インライン搬送路に直交し、前記固定ターンバーが前記第１の部分において４５°に配置されて前記第２の搬送路の第２の部分が前記インライン搬送路と整列するように、配置される、請求項８に記載の受像媒体搬送モジュール。
【請求項１０】
前記第２の搬送路の第１の部分が前記インライン搬送路に平行であり、第１の固定ターンバーが前記第１の部分において４５°に配置されて前記第２の搬送路の第２の部分が前記インライン搬送路に対して直交して整列し、且つ、第２の固定ターンバーが前記第２の部分において４５°に配置されて前記第２の搬送路の第３の部分が前記インライン搬送路と整列するように、前記第２の受像媒体基材ソースが配置されている、請求項８に記載の受像媒体搬送モジュール。
【請求項１１】
第３の受像媒体基材ソースと、
前記第３の受像媒体基材ソースから前記共通出力部へと受像媒体基材シートを搬送する第３の搬送路と、を少なくともさらに備え、
前記第３の搬送路の第１の部分が前記インライン搬送路に対して直交し、他の固定ターンバーが前記第１の部分において４５°に配置されて前記第３の搬送路の第２の部分が前記インライン搬送路と整列するように、前記第３の受像媒体基材ソースが配置されている、請求項８に記載の受像媒体搬送モジュール。
【請求項１２】
前記第１の搬送路と前記第２の搬送路のそれぞれが、前記第１の搬送路と前記第２の搬送路のそれぞれの前記出口部を互いに一致して整列させるように前記共通出力部の上流に前記プロセス方向に対して４５°に配置された固定ターンバーを含む、請求項１に記載の受像媒体搬送モジュール。
【請求項１３】
前記第１の受像媒体基材ソースと前記第２の受像媒体基材ソースのうち少なくとも１つがパレット基材ソースである、請求項１に記載の受像媒体搬送モジュール。
【請求項１４】
画像形成装置において受像媒体シートを搬送する方法において、
第１の受像媒体基材ソースにおいて第１の受像媒体シートを提供することと、
第２の受像媒体基材ソースにおいて第２の受像媒体シートを提供することと、
マーキングエンジンの入力部へと第１の受像媒体搬送路に沿って前記第１の受像媒体シートを選択的に搬送することと、
前記マーキングエンジンの前記入力部へと前記第２の受像媒体搬送路に沿って第２の受像媒体シートを選択的に搬送することと、
を含み、
プロセス方向において前記マーキングエンジンに対する前記入力部の上流の前記第１の搬送路の出口部と前記プロセス方向において前記マーキングエンジンに対する前記入力部の上流の前記第２の搬送路の出口部が互いに一致し、
前記第１の搬送路と前記第２の搬送路のうちの少なくとも一方が、前記第１の搬送路と前記第２の搬送路のそれぞれの前記出口部を互いに一致して整列させるように前記マーキングエンジンに対する前記入力部の上流に前記プロセス方向に対して４５°に配置された、外面を有する固定ターンバーを含み、
さらに、
前記固定ターンバーの周囲に巻き掛かる前記第１の受像媒体シートと前記第２の受像媒体シートのうちの少なくとも一方をガイドするために、前記固定ターンバーの前記外面に隣接してその周囲を延び、前記固定ターンバーの周囲に経路に沿って配置された少なくとも１つのガイド装置を使用することと、
前記固定ターンバーの前記外面の周囲の前記第１の受像媒体シートと前記第２の受像媒体シートのうちの前記少なくとも一方を、前記マーキングエンジンの前記入力部へ、前記固定ターンバーの周囲に経路に沿って配置された前記少なくとも１つのガイド装置を介して提供することと、
を含み、前記固定ターンバーの前記外面の周囲に提供された前記第１の受像媒体シートと前記第２の受像媒体シートのうちの前記少なくとも一方が、ある長さを有する分離した別個の媒体シートであり、前記第１の搬送路と前記第２の搬送路のうちの前記固定ターンバーを含む少なくとも一方に沿う、ある長さを有する前記少なくとも１つのガイド装置が、前記分離した別個の媒体シートの前記長さより長い、
方法。
【請求項１５】
前記受像媒体シートを第１の方向に進む前記受像媒体シートの前縁と共に前記固定ターンバーに搬送することをさらに含み、前記受像媒体シートが、前記第１の方向に対して直交する第２の方向に進む同じ前記前縁と共に前記固定ターンバーを出るように前記固定ターンバーの周囲に巻き掛かる、請求項１４に記載の方法。
【請求項１６】
前記少なくとも１つのガイド装置が、一対の協働コンベアベルトを備え、前記一対の協働コンベアベルトのうちの一方が前記固定ターンバーの周囲に経路に沿って配置され、前記受像媒体シートを前記一方の協働コンベアベルトと前記固定ターンバーとの間に支持するように構成され、
前記方法が、前記一方の協働コンベアベルトが前記受像媒体シートを前記一方の協働コンベアベルトと前記固定ターンバーとの間に支持しながら、前記一対の協働コンベアベルトの間の前記固定ターンバーの周囲に巻き掛かる前記受像媒体シートを挟持することをさらに含む、請求項１４に記載の方法。
【請求項１７】
前記第１の受像媒体基材ソースが、前記第１の搬送路の前記出口部と共に直線配置されており、前記第１の搬送路を前記第１の受像媒体基材ソースから前記共通出力部へのインライン搬送路とする、請求項１４に記載の方法。
【請求項１８】
前記第２の受像媒体基材ソースが、前記第２の搬送路の第１の部分が前記インライン搬送路に直交し、前記固定ターンバーが前記第１の部分において４５°に配置されて前記第２の搬送路の第２の部分が前記インライン搬送路と整列するように配置される、請求項１７に記載の方法。
【請求項１９】
少なくとも第３の受像媒体基材ソースを設けることと、
第３の受像媒体基材シートを前記第３の受像媒体基材ソースから選択的に搬送することと、
をさらに含み、
前記受像媒体搬送モジュールが、前記第３の受像媒体基材ソースから前記共通出力部へと受像媒体シートを搬送する少なくとも第３の搬送路を含み、
前記第３の受像媒体基材ソースが、前記第３の搬送路の第１の部分が前記インライン搬送路に対して直交し、他の固定ターンバーが前記第１の部分において４５°に配置されて前記第３の搬送路の第２の部分が前記インライン搬送路と整列するように、配置される、
請求項１８に記載の方法。
【請求項２０】
画像形成装置において、
第１の受像媒体基材ソースと、
第２の受像媒体基材ソースと、
受像媒体基材シート上にマーキング材料を堆積するマーキングモジュールと、
受像媒体搬送モジュールと、
を備え、前記受像媒体搬送モジュールが、
前記マーキングモジュールの入力部と整列された共通出力部と、
前記第１の受像媒体ソースから前記共通出力部へと前記受像媒体基材シートを搬送する第１の搬送路と、
前記第２の受像媒体ソースから前記共通出力部へと前記受像媒体基材シートを搬送する第２の搬送路と、
を含み、
プロセス方向において前記共通出力部の上流の前記第１の搬送路の出口部と前記プロセス方向において前記共通出力部の上流の前記第２の搬送路の出口部とが互いに一致し、
前記第１の搬送路と前記第２の搬送路のうちの少なくとも一方が、前記第１の搬送路と前記第２の搬送路のそれぞれの前記出口部を互いに一致して整列させるように前記共通出力部の上流に前記プロセス方向に対して４５°に配置された、外面を有する固定ターンバーを含み、
さらに、前記受像媒体搬送モジュールが、
少なくとも１つのガイド装置が、前記固定ターンバーの前記外面から離れてその周囲を延び、前記固定ターンバーの前記外面の周囲に巻き掛かる前記受像媒体基材シートをガイドするように構成され、前記少なくとも１つのガイド装置が、前記固定ターンバーの周囲に経路に沿って配置され、前記固定ターンバーの前記外面の周囲に前記受像媒体基材シートを提供し、前記固定ターンバーの前記外面の周囲に巻き掛かる前記受像媒体基材シートが、ある長さを有する分離した別個の基材シートであり、前記第１の搬送路と前記第２の搬送路のうちの前記固定ターンバーを含む前記少なくとも一方に沿う、ある長さを有する前記少なくとも１つのガイド装置が、前記受像媒体基材シートの前記長さより長い、
画像形成装置。
【請求項２１】
前記少なくとも１つのガイド装置は、ベルトガイド装置であり、前記ベルトガイド装置は、前記固定ターンバーの周囲に巻き掛かる前記受像媒体基材シートを挟持するように構成される一対の協働コンベアベルトであり、前記一対の協働コンベアベルトのうちの一方が前記固定ターンバーの周囲に経路に沿って配置され、前記受像媒体基材シートを前記一方の協働コンベアベルトと前記固定ターンバーとの間に支持するように構成される、請求項２０に記載の画像形成装置。